(57)【特許請求の範囲】
【請求項１】
ユーザの視力情報に応じて観察対象物がユーザにとって明瞭に視認可能な対象物であるか否かを判断するステップと、
前記観察対象物がユーザにとって明瞭に視認可能な対象物ではない場合、前記観察対象物の画像を拡大表示するステップと、
を含み、
前記観察対象物が前記ユーザにとって明瞭に視認可能な対象物であるか否かを判断するステップは、
前記観察対象物が詳細情報を含むか否かに応じて、前記観察対象物が前記ユーザにとって明瞭に視認可能な対象物であるか否かを判断し、前記観察対象物が前記詳細情報を含む場合、前記観察対象物が前記ユーザにとって明瞭に視認可能な対象物ではないと判断するステップと、
同一対象物を観察するユーザの視線合焦時間を取得するステップと、
前記視線合焦時間が予め決められた時間よりも大きい又は同じであるか否かに応じて、前記観察対象物がユーザにとって明瞭に視認可能な対象物であるか否かを判断し、前記視線合焦時間が前記予め決められた時間よりも大きい又は同じである場合、前記観察対象物が前記ユーザにとって明瞭に視認可能な対象物ではないと判断するステップと、
前記観察対象物が詳細情報を含むか否かに応じて、前記観察対象物が前記ユーザにとって明瞭に視認可能な対象物ではないと判断し、且つ、前記視線合焦時間が前記予め決められた時間よりも大きい又は同じであるか否かに応じて、前記観察対象物が前記ユーザにとって明瞭に視認可能な対象物ではないと判断する場合に、前記観察対象物が前記ユーザにとって明瞭に視認可能な対象物ではないと判断するステップと、
を含み、
前記観察対象物が詳細情報を含むか否かに応じて、前記観察対象物が前記ユーザにとって明瞭に視認可能な対象物であるか否かを判断するステップは、
前記観察対象物の予め決められた画素特性パラメータの変動度合いを取得するステップと、
前記予め決められた画素特性パラメータの変動度合いが予め決められた変動度合いよりも大きい又は同じであるか否かに応じて、前記観察対象物が前記詳細情報を含むか否かを判断し、前記予め決められた画素特性パラメータの変動度合いが前記予め決められた変動度合いよりも大きい又は同じである場合、前記観察対象物が前記詳細情報を含むと判断するステップと、
を含む、表示制御方法。
【請求項２】
前記ユーザの目の検眼を行うことによって前記ユーザの視力情報を取得するステップ、或いは、
前記ユーザによって入力された視力情報を含む情報を受信することによって前記ユーザの視力情報を取得するステップ、或いは、
前記ユーザのログインアカウントと関連付けられた前記視力情報を読み込むことによって前記ユーザの視力情報を取得するステップ、
を更に含む、請求項１に記載の表示制御方法。
【請求項３】
前記ユーザの現在の視野範囲を決定するステップと、
前記ユーザの視線特性を捕捉し、前記観察対象物として前記ユーザの視野範囲内の前記視線特性と合う対象物を用いるステップと、
を更に含む、請求項１又は２に記載の表示制御方法。
【請求項４】
前記観察対象物が前記ユーザにとって明瞭に視認可能な対象物であるか否かを判断するステップは、
前記観察対象物と前記ユーザとの間隔距離を取得するステップと、
前記間隔距離が予め決められた視認可能な距離よりも大きい又は同じであるか否かに応じて、前記観察対象物が前記ユーザにとって明瞭に視認可能な対象物であるか否かを判断し、前記間隔距離が前記予め決められた視認可能な距離よりも大きい又は同じである場合、前記観察対象物が前記ユーザにとって明瞭に視認可能な対象物はないと判断するステップと、
を含む、請求項１〜３のいずれか１つに記載の表示制御方法。
【請求項５】
前記観察対象物が詳細情報を含むか否かに応じて、前記観察対象物が前記ユーザにとって明瞭に視認可能な対象物であるか否かを判断するステップは、
前記観察対象物の周辺対象物を取得するステップと、
前記観察対象物の予め決められた画素特性パラメータの変動度合いが前記周辺対象物の予め決められた画素特性パラメータの変動度合いと一致するか否かに応じて、前記観察対象物が前記詳細情報を含むか否かを判断し、前記観察対象物の予め決められた画素特性パラメータの変動度合いが前記周辺対象物の予め決められた画素特性パラメータの変動度合いと一致しない場合、前記観察対象物が前記詳細情報を含むと判断するステップと、
を含む、請求項１〜４のいずれか１つに記載の表示制御方法。
【請求項６】
前記観察対象物が前記ユーザにとって明瞭に視認可能な対象物であるか否かを判断するステップは、
前記観察対象物が予め決められたタイプの情報要素を含むか否かに応じて、前記観察対象物が前記ユーザにとって明瞭に視認可能な対象物であるか否かを判断し、前記観察対象物が予め決められたタイプの情報要素を含む場合、前記観察対象物が前記ユーザにとって明瞭に視認可能な対象物ではないと判断するステップ、
を含み、
前記予め決められたタイプの情報要素は、商品ロゴを含む、請求項１〜５のいずれか１つに記載の表示制御方法。
【請求項７】
前記観察対象物の画像を拡大表示するステップは、
予め決められたサイズの表示領域を表示するステップと、
前記表示領域に前記観察対象物の画像を拡大表示するステップと、
を含む、請求項１〜６のいずれか１つに記載の表示制御方法。
【請求項８】
前記ユーザの視線移動事象を監視するステップと、
前記視線移動事象に応じて前記表示領域を移動すると共に、前記観察対象物の画像の拡大率に応じて前記表示領域に拡大表示される前記観察対象物の画像を更新するステップと、
を更に含む、請求項７に記載の表示制御方法。
【請求項９】
前記ユーザの視線が前記観察対象物の範囲外に移動するとき、前記観察対象物の画像の拡大表示を取り消すステップ、
を更に含む、請求項１〜８のいずれか１つに記載の表示制御方法。
【請求項１０】
ユーザの視力情報に応じて観察対象物がユーザにとって明瞭に視認可能な対象物であるか否かを判断するように構成された判断ユニットと、
前記観察対象物がユーザにとって明瞭に視認可能な対象物ではない場合、前記観察対象物の画像を拡大表示するように構成された表示ユニットと、
を備え、
前記判断ユニットは、
前記観察対象物が詳細情報を含むか否かに応じて、前記観察対象物が前記ユーザにとって明瞭に視認可能な対象物であるか否かを判断し、前記観察対象物が前記詳細情報を含む場合、前記観察対象物が前記ユーザにとって明瞭に視認可能な対象物ではないと判断するように構成された詳細判断サブユニットと、
同一対象物を観察するユーザの視線合焦時間を取得するように構成された時間取得サブユニットと、
前記視線合焦時間が予め決められた時間よりも大きい又は同じであるか否かに応じて、前記観察対象物がユーザにとって明瞭に視認可能な対象物であるか否かを判断し、前記視線合焦時間が前記予め決められた時間よりも大きい又は同じである場合、前記観察対象物が前記ユーザにとって明瞭に視認可能な対象物ではないと判断するように構成された時間判断サブモジュールと、を備え、
前記判断ユニットは、前記詳細判断サブユニットにより前記観察対象物が前記ユーザにとって明瞭に視認可能な対象物ではないと判断し、且つ、前記時間取得サブユニットにより前記観察対象物が前記ユーザにとって明瞭に視認可能な対象物ではないと判断する場合、前記観察対象物が前記ユーザにとって明瞭に視認可能な対象物ではないと判断するように構成され、
前記詳細判断サブユニットは、
前記観察対象物の予め決められた画素特性パラメータの変動度合いを取得するように構成された変動取得モジュールと、
前記予め決められた画素特性パラメータの変動度合いが予め決められた変動度合いよりも大きい又は同じであるか否かに応じて、前記観察対象物が前記詳細情報を含むか否かを判断し、前記予め決められた画素特性パラメータの変動度合いが前記予め決められた変動度合いよりも大きい又は同じである場合、前記観察対象物が前記詳細情報を含むと判断するように構成された第１変動判断モジュールと、
を備える、表示制御装置。
【請求項１１】
前記ユーザの目の検眼を行うことによって前記ユーザの視力情報を取得する、或いは、前記ユーザによって入力された視力情報を含む情報を受信することによって前記ユーザの視力情報を取得する、或いは、前記ユーザのログインアカウントと関連付けられた前記視力情報を読み込むことによって前記ユーザの視力情報を取得する
ように構成された取得ユニットを更に備える、請求項１０に記載の表示制御装置。
【請求項１２】
前記ユーザの現在の視野範囲を決定するように構成された決定ユニットと、
前記ユーザの視線特性を捕捉し、前記観察対象物として前記ユーザの視野範囲内の前記視線特性と合う対象物を用いるように構成された捕捉ユニットと、
を更に備える、請求項１０又は１１に記載の表示制御装置。
【請求項１３】
前記判断ユニットは、
前記観察対象物と前記ユーザとの間隔距離を取得するように構成された距離取得サブユニットと、
前記間隔距離が予め決められた視認可能な距離よりも大きい又は同じであるか否かに応じて、前記観察対象物が前記ユーザにとって明瞭に視認可能な対象物であるか否かを判断し、前記間隔距離が前記予め決められた視認可能な距離よりも大きい又は同じである場合、前記観察対象物が前記ユーザにとって明瞭に視認可能な対象物はないと判断するように構成された距離判断サブユニットと、
を更に備える、請求項１０〜１２のいずれか１つに記載の表示制御装置。
【請求項１４】
前記詳細判断サブユニットは、
前記観察対象物の周辺対象物を取得するように構成された対象物取得モジュールと、
前記観察対象物の予め決められた画素特性パラメータの変動度合いが前記周辺対象物の予め決められた画素特性パラメータの変動度合いと一致するか否かに応じて、前記観察対象物が前記詳細情報を含むか否かを判断し、前記観察対象物の予め決められた画素特性パラメータの変動度合いが前記周辺対象物の予め決められた画素特性パラメータの変動度合いと一致しない場合、前記観察対象物が前記詳細情報を含むと判断するように構成された第２変動判断モジュールと、
を備える、請求項１０〜１３のいずれか１つに記載の表示制御装置。
【請求項１５】
前記判断ユニットは、
前記観察対象物が予め決められたタイプの情報要素を含むか否かに応じて、前記観察対象物が前記ユーザにとって明瞭に視認可能な対象物であるか否かを判断し、前記観察対象物が予め決められたタイプの情報要素を含む場合、前記観察対象物が前記ユーザにとって明瞭に視認可能な対象物ではないと判断するように構成されたタイプ判断サブユニット、
を備え、
前記予め決められたタイプの情報要素は、商品ロゴを含む、請求項１０〜１４のいずれか１つに記載の表示制御装置。
【請求項１６】
前記表示ユニットは、
予め決められたサイズの表示領域を表示するように構成された領域表示サブユニットと、
前記表示領域に前記観察対象物の画像を拡大表示するように構成された拡大処理サブユニットと
を備える、請求項１０〜１５のいずれか１つに記載の表示制御装置。
【請求項１７】
前記ユーザの視線移動事象を監視するように構成された監視ユニットと、
前記視線移動事象に応じて前記表示領域を移動すると共に、前記観察対象物の画像の拡大率に応じて前記表示領域に拡大表示される前記観察対象物の画像を更新するように構成された更新ユニットと、
を更に備える、請求項１６に記載の表示制御装置。
【請求項１８】
前記ユーザの視線が前記観察対象物の範囲外に移動するとき、前記観察対象物の画像の拡大表示を取り消すように構成された取消ユニット、
を更に備える、請求項１０〜１７のいずれか１つに記載の表示制御装置。
【請求項１９】
コンピュータを動作させるとき、請求項１〜９のいずれか１つに記載の表示制御方法をコンピュータに実行させるコンピュータプログラム。
【請求項２０】
請求項１９に記載のコンピュータプログラムが記憶されたコンピュータ可読記憶媒体。
【発明の詳細な説明】
【技術分野】
【０００１】
（関連出願の相互参照）
本出願は、２０１５年３月３１日に出願された中国特許出願番号２０１５１０１５０２９１．７に基づいて優先権を主張するものであり、その全体の内容が参照により本明細書に援用される。
【０００２】
本開示は、一般に、スマートデバイスの分野に関し、より具体的には表示制御方法及び装置、並びに電子機器に関する。
【背景技術】
【０００３】
科学技術の発展に伴い、スマートブレスレット、スマートグラスなどのウェアラブルデバイスがますます増加している。人々の日常生活を便利にするために、これらのウェアラブルデバイスのハードウェア特性をどのようにして十分に利用するかが、解決すべき緊急な問題となっている。
【発明の概要】
【０００４】
従来技術の問題点を解決するために、本開示の実施形態は、表示制御方法及び装置を提供する。
【０００５】
本開示の実施形態の第１態様によれば、ユーザの視力情報に応じて観察対象物がユーザにとって明瞭に視認可能な対象物であるか否かを判断するステップと、前記観察対象物がユーザにとって明瞭に視認可能な対象物ではない場合、前記観察対象物の画像を拡大表示するステップと、
を含む、表示制御方法を提供する。
【０００６】
また、本方法は、前記ユーザの目の検眼を行うことによって前記ユーザの視力情報を取得するステップ、或いは、前記ユーザによって入力された視力情報を含む情報を受信することによって前記ユーザの視力情報を取得するステップ、或いは、前記ユーザのログインアカウントと関連付けられた前記視力情報を読み込むことによって前記ユーザの視力情報を取得するステップ、を更に含んでもよい。
【０００７】
また、本方法は、前記ユーザの現在の視野範囲を決定するステップと、前記ユーザの視線特性を捕捉し、前記観察対象物として前記ユーザの視野範囲内の前記視線特性と合う対象物を用いるステップとを含んでもよい。
【０００８】
また、前記観察対象物が前記ユーザにとって明瞭に視認可能な対象物であるか否かを判断するステップは、前記観察対象物と前記ユーザとの間隔距離を取得するステップと、前記間隔距離が予め決められた視認可能な距離よりも大きい又は同じであるか否かに応じて、前記観察対象物が前記ユーザにとって明瞭に視認可能な対象物であるか否かを判断し、前記間隔距離が前記予め決められた視認可能な距離よりも大きい又は同じである場合、前記観察対象物が前記ユーザにとって明瞭に視認可能な対象物ではないと判断するステップとを含んでもよい。
【０００９】
また、前記観察対象物が前記ユーザにとって明瞭に視認可能な対象物であるか否かを判断するステップは、前記観察対象物が詳細情報を含むか否かに応じて、前記観察対象物が前記ユーザにとって明瞭に視認可能な対象物であるか否かを判断し、前記観察対象物が前記詳細情報を含む場合、前記観察対象物が前記ユーザにとって明瞭に視認可能な対象物ではないと判断するステップを含んでもよい。 
【００１０】
また、前記観察対象物が詳細情報を含むか否かに応じて、前記観察対象物が前記ユーザにとって明瞭に視認可能な対象物であるか否かを判断するステップは、前記観察対象物の予め決められた画素特性パラメータの変動度合いを取得するステップと、前記予め決められた画素特性パラメータの変動度合いが予め決められた変動度合いよりも大きい又は同じであるか否かに応じて、前記観察対象物が前記詳細情報を含むか否かを判断し、前記予め決められた画素特性パラメータの変動度合いが前記予め決められた変動度合いよりも大きい又は同じである場合、前記観察対象物が前記詳細情報を含むと判断するステップとを含んでもよい。
【００１１】
また、前記観察対象物が詳細情報を含むか否かに応じて、前記観察対象物が前記ユーザにとって明瞭に視認可能な対象物であるか否かを判断するステップは、前記観察対象物の周辺対象物を取得するステップと、前記観察対象物の予め決められた画素特性パラメータの変動度合いが前記周辺対象物の予め決められた画素特性パラメータの変動度合いと一致するか否かに応じて、前記観察対象物が前記詳細情報を含むか否かを判断し、前記観察対象物の予め決められた画素特性パラメータの変動度合いが前記周辺対象物の予め決められた画素特性パラメータの変動度合いと一致しない場合、前記観察対象物が前記詳細情報を含むと判断するステップとを含んでもよい。
【００１２】
また、前記観察対象物が前記ユーザにとって明瞭に視認可能な対象物であるか否かを判断するステップは、同一対象物を観察するユーザの継続時間又は視線合焦時間を取得するステップと、前記継続時間又は前記視線合焦時間が予め決められた時間よりも大きい又は同じであるか否かに応じて、前記観察対象物がユーザにとって明瞭に視認可能な対象物であるか否かを判断し、前記継続時間又は前記視線合焦時間が前記予め決められた時間よりも大きい又は同じである場合、前記観察対象物が前記ユーザにとって明瞭に視認可能な対象物ではないと判断するステップとを含んでもよい。
【００１３】
また、前記観察対象物が前記ユーザにとって明瞭に視認可能な対象物であるか否かを判断するステップは、前記観察対象物が予め決められたタイプの情報要素を含むか否かに応じて、前記観察対象物が前記ユーザにとって明瞭に視認可能な対象物であるか否かを判断し、前記観察対象物が予め決められたタイプの情報要素を含む場合、前記観察対象物が前記ユーザにとって明瞭に視認可能な対象物ではないと判断するステップを含む。
【００１４】
また、前記観察対象物の画像を拡大表示するステップは、予め決められたサイズの表示領域を表示するステップと、前記表示領域に前記観察対象物の画像を拡大表示するステップとを含んでもよい。
【００１５】
また、本方法は、前記ユーザの視線移動事象を監視するステップと、前記視線移動事象に応じて前記表示領域を移動すると共に、前記観察対象物の画像の拡大率に応じて前記表示領域に拡大表示される前記観察対象物の画像を更新するステップとを更に含んでもよい。
【００１６】
また、本方法は、前記ユーザの視線が前記観察対象物の範囲外に移動するとき、前記観察対象物の画像の拡大表示を取り消すステップを更に含んでもよい。
【００１７】
本開示の実施形態の第２態様によれば、ユーザの視力情報に応じて観察対象物がユーザにとって明瞭に視認可能な対象物であるか否かを判断するように構成された判断ユニットと、前記観察対象物がユーザにとって明瞭に視認可能な対象物ではない場合、前記観察対象物の画像を拡大表示するように構成された表示ユニットとを備える、表示制御装置を提供する。
【００１８】
また、本装置は、前記ユーザの目の検眼を行うことによって前記ユーザの視力情報を取得する、或いは、前記ユーザによって入力された視力情報を含む情報を受信することによって前記ユーザの視力情報を取得する、或いは、前記ユーザのログインアカウントと関連付けられた前記視力情報を読み込むことによって前記ユーザの視力情報を取得するように構成された取得ユニットを更に備えてもよい。
【００１９】
また、本装置は、前記ユーザの現在の視野範囲を決定するように構成された決定ユニットと、前記ユーザの視線特性を捕捉し、前記観察対象物として前記ユーザの視野範囲内の前記視線特性と合う対象物を用いるように構成された捕捉ユニットとを更に備えてもよい。
【００２０】
また、前記判断ユニットは、前記観察対象物と前記ユーザとの間隔距離を取得するように構成された距離取得サブユニットと、前記間隔距離が予め決められた視認可能な距離よりも大きい又は同じであるか否かに応じて、前記観察対象物が前記ユーザにとって明瞭に視認可能な対象物であるか否かを判断し、前記間隔距離が前記予め決められた視認可能な距離よりも大きい又は同じである場合、前記観察対象物が前記ユーザにとって明瞭に視認可能な対象物ではないと判断するように構成された距離判断サブユニットとを更に備えてもよい。
【００２１】
また、前記判断ユニットは、前記観察対象物が詳細情報を含むか否かに応じて、前記観察対象物が前記ユーザにとって明瞭に視認可能な対象物であるか否かを判断し、前記観察対象物が前記詳細情報を含む場合、前記観察対象物が前記ユーザにとって明瞭に視認可能な対象物ではないと判断するように構成された詳細判断サブユニットを備えてもよい。
【００２２】
また、前記詳細判断サブユニットは、前記観察対象物の予め決められた画素特性パラメータの変動度合いを取得するように構成された変動取得モジュールと、前記予め決められた画素特性パラメータの変動度合いが予め決められた変動度合いよりも大きい又は同じであるか否かに応じて、前記観察対象物が前記詳細情報を含むか否かを判断し、前記予め決められた画素特性パラメータの変動度合いが前記予め決められた変動度合いよりも大きい又は同じである場合、前記観察対象物が前記詳細情報を含むと判断するように構成された第１変動判断モジュールとを備えてもよい。
【００２３】
また、前記詳細判断サブモジュールは、前記観察対象物の周辺対象物を取得するように構成された対象物取得モジュールと、前記観察対象物の予め決められた画素特性パラメータの変動度合いが前記周辺対象物の予め決められた画素特性パラメータの変動度合いと一致するか否かに応じて、前記観察対象物が前記詳細情報を含むか否かを判断し、前記観察対象物の予め決められた画素特性パラメータの変動度合いが前記周辺対象物の予め決められた画素特性パラメータの変動度合いと一致しない場合、前記観察対象物が前記詳細情報を含むと判断するように構成された第２変動判断モジュールとを備えてもよい。
【００２４】
また、前記判断ユニットは、同一対象物を観察するユーザの継続時間又は視線合焦時間を取得するように構成された時間取得サブユニットと、継続時間又は視線合焦時間が予め決められた時間よりも大きい又は同じであるか否かに応じて、前記観察対象物がユーザにとって明瞭に視認可能な対象物であるか否かを判断し、前記継続時間又は前記視線合焦時間が前記予め決められた時間よりも大きい又は同じである場合、前記観察対象物が前記ユーザにとって明瞭に視認可能な対象物ではないと判断するように構成された時間判断サブモジュールとを備えてもよい。
【００２５】
また、前記判断ユニットは、前記観察対象物が予め決められたタイプの情報要素を含むか否かに応じて、前記観察対象物が前記ユーザにとって明瞭に視認可能な対象物であるか否かを判断し、前記観察対象物が予め決められたタイプの情報要素を含む場合、前記観察対象物が前記ユーザにとって明瞭に視認可能な対象物ではないと判断するように構成されたタイプ判断サブユニットを備えてもよい。
【００２６】
また、前記表示ユニットは、予め決められたサイズの表示領域を表示するように構成された領域表示サブユニットと、前記表示領域に前記観察対象物の画像を拡大表示するように構成された拡大処理サブユニットとを備えてもよい。
【００２７】
また、本装置は、前記ユーザの視線移動事象を監視するように構成された監視ユニットと、前記視線移動事象に応じて前記表示領域を移動すると共に、前記観察対象物の画像の拡大率に応じて前記表示領域に拡大表示された前記観察対象物の画像を更新するように構成された更新ユニットとを更に備えてもよい。
【００２８】
また、本装置は、前記ユーザの視線が前記観察対象物の範囲外に移動するとき、前記観察対象物の画像の拡大表示を取り消すように構成された取消ユニットを更に備えてもよい。
【００２９】
また、本開示の実施形態の第３態様によれば、プロセッサと、前記プロセッサによって実行可能な指示を記憶するメモリとを備える電子機器を提供する。前記プロセッサは、ユーザの視力情報に応じて観察対象物がユーザにとって明瞭に視認可能な対象物であるか否かを判断し、前記観察対象物がユーザにとって明瞭に視認可能な対象物ではない場合、前記観察対象物の画像を拡大表示するように構成されている。
【発明の効果】
【００３０】
本開示によって提供される技術的解決策は、次のような有利な効果を有する。
【００３１】
本開示の実施形態によれば、ユーザの視力情報を取得することによって、ユーザが観察対象物を明瞭に観察できるか否かを正確に判断することができる。更に、ユーザが明瞭に観察できない観察対象物の画像を拡大表示することによって、ユーザは、観察対象物に近づくことなく観察対象物を明瞭に観察することができる。
【００３２】
前述の一般的説明及び以下の詳細な説明の両方は、例示的で説明的なものであり、クレーム化された本発明を限定するものではないことは理解されるべきである。
【図面の簡単な説明】
【００３３】
本明細書に組み込まれ、本明細書の一部を構成する添付図面は、本発明と一致する実施形態を例示するものであり、その記述と共に、本発明の原理を説明するのに役立つ。
【図１】図１は、例示的な実施形態に係る表示制御方法を示すフローチャートである。
【図２】図２は、例示的な実施形態に係るユーザの視力情報を取得するステップを示す概略図である。
【図３】図３は、例示的な実施形態に係るユーザの視力情報を取得するステップを示す概略図である。
【図４】図４は、例示的な実施形態に係るユーザの視力情報を取得するステップを示す概略図である。
【図５】図５は、例示的な実施形態に係る観察対象物を決定するステップを示す概略図である。
【図６】図６は、例示的な実施形態に係る観察対象物がユーザによって明瞭に観察されるか否かを判断するステップを示す概略図である。
【図７】図７は、例示的な実施形態に係る観察対象物がユーザによって明瞭に観察されるか否かを判断するステップを示す概略図である。
【図８】図８は、例示的な実施形態に係る観察対象物の画像を拡大表示するステップを示す概略図である。
【図９】図９は、例示的な実施形態に係る観察対象物の画像を拡大表示するステップを示す概略図である。
【図１０】図１０は、例示的な実施形態に係る観察対象物の画像を拡大表示するステップを示す概略図である。
【図１１】図１１は、例示的な実施形態に係る表示制御装置のブロック図である。
【図１２】図１２は、例示的な実施形態に係る表示制御装置のブロック図である。
【図１３】図１３は、例示的な実施形態に係る表示制御装置のブロック図である。
【図１４】図１４は、例示的な実施形態に係る表示制御装置のブロック図である。
【図１５】図１５は、例示的な実施形態に係る表示制御装置のブロック図である。
【図１６】図１６は、例示的な実施形態に係る表示制御装置のブロック図である。
【図１７】図１７は、例示的な実施形態に係る表示制御装置のブロック図である。
【図１８】図１８は、例示的な実施形態に係る表示制御装置のブロック図である。
【図１９】図１９は、例示的な実施形態に係る表示制御装置のブロック図である。
【図２０】図２０は、例示的な実施形態に係る表示制御装置のブロック図である。
【図２１】図２１は、例示的な実施形態に係る表示制御装置のブロック図である。
【図２２】図２２は、例示的な実施形態に係る表示制御装置のブロック図である。
【図２３】図２３は、例示的な実施形態に係る表示制御装置の概略図である。
【発明を実施するための形態】
【００３４】
添付図面に示されている例示的な実施形態、実施例を詳細に参照する。以下の説明は、添付の図面を参照し、異なる図面における同一の数字は、特に示さない限り、同一又は類似の要素を表す。例示的な実施形態の以下の説明に記載されている実施例は、本発明と一致する全ての実施例を表すものではない。むしろ、それらは、添付の特許請求の範囲に記載の本発明に関連する態様と一致する装置及び方法の単なる例示である。
【００３５】
図１は、例示的な実施形態に係る表示制御方法を示すフローチャートである。図１を参照すると、本方法は、以下のステップを含む。
【００３６】
ステップ１０２においては、ユーザの視力情報に応じて観察対象物がユーザにとって明瞭に視認可能な対象物であるか否かを判断する。
【００３７】
ステップ１０４においては、観察対象物がユーザにとって明瞭に視認可能な対象物ではない場合、観察対象物の画像が拡大表示される。
【００３８】
本開示の技術解決策において、ステップ１０２及びステップ１０４における各処理機能に対して、複数の可能性のある実施例がある。各処理機能は下記に示されている。
【００３９】
１．ユーザの視力情報
ユーザの視力情報は、画像を区別するユーザの網膜の能力である。異なるユーザ間で視力の違いがある。例えば、あるユーザは、ユーザによる観察対象物の観察に影響を与える近視、乱視、又は遠視を患っていることが有り得る。
【００４０】
本発明の技術解決策は、スマートグラスなどのウェアラブルデバイスに適用できる。ユーザの視力情報及び観察対象物を決定することによって、観察対象物がユーザによって明瞭に観察され得るか否かを自動的に推測し、自動的に拡大表示処理を行うことができる。
【００４１】
説明の便宜上、以下の実施形態は、例えば、全てスマートグラスであるものとする。しかしながら、当業者は、本開示の技術解決策が他の非ウェアラブル電子機器に明らかに適用可能であることを理解するだろう。電子機器（表示スクリーンなど）が、情報を処理するとともに画像を表示する能力を有し、観察対象物を識別するとともに、ユーザによる観察対象物の観察状況を判断する場合、本開示の技術解決策が適用できる。
【００４２】
１）能動的検知
例示的な実施形態として、スマートグラスは、ユーザの目の検眼を能動的に行うことによって、ユーザの視力情報を取得してもよい。
【００４３】
スマートグラスは、ユーザの検眼を行うとき、従来技術のコンピュータ検眼を使用することができ、その原理は網膜検影法である。図２に示すように、ユーザがスマートグラスを装着するとき、スマートグラスは、ユーザの目の屈折系統に光線を照射し、検影鏡を介して直接網膜に光線を照射してもよい。それにより、網膜の反射光は検影鏡に達し、視力情報の検知を実現できる。
【００４４】
検眼中、赤外線光源及び自動噴霧装置によってユーザの眼球に緩和調節が行われ、光電技術及び自動制御技術によってユーザの目の屈折度合いが検査されてもよい。
【００４５】
もちろん、「網膜検影法」以外に他の方式が本開示の技術解決策に適用されてもよく、本開示に限定されない。
【００４６】
２）ユーザ入力
例示的な実施形態として、スマートグラスは、ユーザによって入力された視力情報を含む情報を受信することによって、視力情報を取得してもよい。
【００４７】
ユーザは、自身の視力を知っている場合、自身の視力情報を直接入力してもよい。例えば、視力情報の入力インターフェースがスマートグラスの表示スクリーンに表示されてもよい。入力インターフェースは、入力キーボードを備え、ユーザの視線によって焦点を合わされた入力キーボードのキーを決定するようにユーザの眼球の動きが捕捉され、前記情報の入力が達成される。
【００４８】
また、図３に示すように、スマートグラスとユーザのスマートモバイルフォンなどの他の装置との通信を確立し、ユーザがスマートモバイルフォンのインターフェースに自身の視力情報を直接入力するようにしてもよい。
【００４９】
３）ネットワークアクセス
他の例示的な実施形態として、スマートグラスは、ユーザのログインアカウントと関連付けられた視力情報を読み込んでもよい。
【００５０】
図４に示すように、ユーザは、スマートグラスのアカウントにログインでき、アカウントとユーザとの間には１対１の関連性がある。このため、ユーザがあらかじめクラウドに視力情報、高さ及び重量などの自身の様々な情報を記憶させている場合、スマートグラスは、現在のログインアカウントに応じてインターネットを介してユーザの視力情報を読み込むことができる。
【００５１】
２．観察対象物
ユーザの視野範囲は、ユーザの目の観察範囲として理解される。図５に示すように、ユーザの視野範囲は、見渡すと扇形の領域である。
【００５２】
スマートグラスは、ユーザの目の前に位置してユーザの目の方向と一致し、ユーザの頭と共に回るので、スマートグラスのカメラの画像収集範囲が概ねユーザの視野範囲と一致すると考えることができる。
【００５３】
しかしながら、ユーザの頭と目の方向が変化しないとき、ユーザの視野範囲は変化しないが、ユーザの眼球の回転は、観察対象物の変化をもたらし得る。従って、スマートグラスは、ユーザの眼球の回転を記録することによってユーザの視線特性を捕捉し、観察対象物としてユーザの視野範囲内で対象物を視線特性に合わせることができる。
【００５４】
例えば、図５に示すように、ユーザの左目の視線と右目の視線を捕捉することによって、左目の視線と右目の視線との交差部の対象物が、本開示の技術解決策における観察対象物として用いられる。
【００５５】
３．ユーザが観察対象物を明瞭に観察可能か否か
１）距離に基づく測定
例示的な実施形態として、観察対象物とユーザとの間隔距離が取得され、当該間隔距離が予め決められた視認可能な距離よりも大きい又は同じか否かに応じて、観察対象物がユーザにとって明瞭に視認可能な対象物であるか否かを判断する。
【００５６】
図６に示すように、ユーザの視線特性を捕捉することによって、スマートグラスが、ユーザの視野範囲内の観察対象物Ａを決定して観察対象物Ａとユーザとの間隔距離Ｌ１を測定するとともに、ユーザの視野範囲内の観察対象物Ｂを決定して観察対象物Ｂとユーザとの間隔距離Ｌ２を測定することを想定する。
【００５７】
ユーザが近眼を患っている場合、ユーザの視力情報に基づいて、ユーザによって明瞭に観察される最も遠い距離は、Ｌ０であり且つＬ１＜Ｌ０＜Ｌ２であると判断され、観察対象物Ａは拡大表示なしでユーザによって明瞭に観察されると判断される。一方、観察対象物Ｂはユーザによって明瞭に観察されることができないので拡大表示が必要であると判断される。
【００５８】
同様に、ユーザが遠視を患っている場合、ユーザの視力情報に基づいて、ユーザによって明瞭に観察される最も近い距離はＬ０’であり且つＬ１＜Ｌ０’＜Ｌ２であると判断され、観察対象物Ａはユーザによって明瞭に観察されることができないので拡大表示が必要であると判断される。一方、観察対象物Ｂは拡大表示なしでユーザによって明瞭に観察されると判断される。
【００５９】
２）詳細に基づく測定
他の例示的な実施形態として、観察対象物が詳細情報を含むか否かに応じて、観察対象物がユーザにとって明瞭に視認可能な対象物であるか否かを判断する。
【００６０】
例えば、観察対象物が、図７に示す白い壁である観察対象物Ａなど、詳細情報を含まない場合、現実的に拡大表示は無意味になる。観察対象物が、図７に示す絵画である観察対象物Ｂなど、詳細情報を含む場合、ユーザにとって絵画の詳細を見るのに都合が良いように、画像を拡大表示してもよい。従って、本実施形態の技術解決策の要点は、観察対象物が詳細情報を含むことを判断する方法にある。
【００６１】
実施形態１
スマートグラスは、観察対象物の予め決められた画素特性パラメータの変動度合いを取得し、当該変動度合いが予め決められた変動度合いよりも大きい又は同じであるか否かに応じて、観察対象物が詳細情報を含むか否かを判断してもよい。
【００６２】
本実施形態において、画素特性パラメータは、濃淡値、各カラーチャンネルの色彩値などの各画素の１以上の属性値であってもよい。図７に示す「白い壁」及び「絵画」を例に取ると、前者について、画像の全ての画素が「白」、すなわち、対応する濃淡値（ここでは濃淡値を例に取るが、他のタイプの画素特性パラメータでもよい）が変動なく同一であり、観察対象物が詳細情報を含まないと判断する。しかしながら、後者について、「絵画」は、各画素の濃淡値の差及び変動をもたらし且つ変動度合いが大きい（例えば、予め決められた変動度合いよりも大きい又は同じ）色変化などの多数の詳細を含むので、観察対象物は詳細情報を含むと判断する。
【００６３】
実施形態２
スマートグラスは、観察対象物の周辺対象物を取得し、観察対象物の予め決められた画素特性パラメータの変動度合いが周辺対象物の予め決められた画素特性パラメータの変動度合いと一致するか否かに応じて、観察対象物が詳細情報を含むか否かを判断してもよい。
【００６４】
本実施形態において、図７を例に取る。観察対象物Ａは「白い壁」の一部であるので、観察対象物Ａの予め決められた画素特性パラメータの変動度は、周辺対象物の予め決められた画素特性パラメータの変動度と一致する。すなわち、観察対象物Ａ及び周辺対象物は、１つの大きな体積の全体を形成し、ユーザにとって詳細を観察する必要がなく、観察対象物が詳細情報を含まないと判断する。観察対象物Ｂは白い壁上の絵画であるので、観察対象物Ｂの予め決められた画素特性パラメータの変動度合いが周辺対象物の予め決められた画素特性パラメータの変動度合いと一致せず、変動度合い（例えば、予め決められた変動度合いよりも大きい又は同じ）が大きく、観察対象物が詳細情報を含むと判断する。
【００６５】
３）時間に基づく測定
また、他の例示的な実施形態として、同一対象物を観察するユーザの継続時間又は視線合焦時間が取得され、当該継続時間又は視線合焦時間が予め決められた時間よりも大きい又は同じであるか否かに応じて、観察対象物がユーザにとって明瞭に視認可能な対象物である否かを判断してもよい。
【００６６】
本実施形態において、ユーザが、長時間、特定の観察対象物を観察する又は焦点を合わせる場合、ユーザが注意深く観察対象物を調べたいことを示す。また、ユーザが見損なったために自身の視線の焦点を合わせようとする場合、ユーザが現在の観察対象物を詳細に観察したいことを示す。この場合、拡大表示が必要とされる。
【００６７】
４）情報要素に基づく測定
また、他の例示的な実施形態として、観察対象物が予め決められたタイプの情報要素を含むか否かに応じて、観察対象物がユーザにとって明瞭に視認可能な対象物であるか否かを判断してもよい。
【００６８】
例えば、現在の観察対象物を決定した後、スマートグラスは、更に、観察対象物に含まれる情報要素（例えば、キャラクター、アイコン（例えば、商品ロゴ））を認識する。観察対象物がそのような情報要素を含む場合、観察対象物がユーザによって明瞭に観察できず、拡大表示が必要であると判断する。
【００６９】
前記では４つの態様が紹介されているが、前述した態様の１つ又は組合せが適用されてもよく、観察対象物がユーザによって明瞭に観察されるか否かで正確な判断がなされてもよい。種々の態様の組合せが適用される場合、例示的な実施形態として、少なくとも１つの方法の判断結果が観察対象物がユーザによって明瞭に観察されることができないという状況においては、観察対象物がユーザによって明瞭に観察されることができないと判断する。或いは、他の実施形態として、適用される全ての態様の判断結果が観察対象物がユーザによって明瞭に観察されることができないという状況においては、観察対象物がユーザによって明瞭に観察されることができないと判断する。
【００７０】
４．観察対象物を拡大表示するステップ
【００７１】
例示的な実施形態として、予め決められたサイズの表示領域が表示され、観察対象物の画像が当該表示領域に拡大表示される。
【００７２】
図７は、ユーザの目の中のユーザの視野範囲を画像化した概略図である。図８は、スマートグラスによって拡大表示された観察対象物Ｂの画像を示す概略図である。図８に示すように、表示領域は、画像に表示されてもよい。また、表示領域は、「拡大鏡」又は他の形態であってもよく、本明細書に限定されない。図８から分かるように、観察対象物Ｂの拡大表示によって、絵の中の人間のスカートの左側のドットパターンが観察されるが、その詳細はユーザによって直接観察されることができない。
【００７３】
ユーザは、観察対象物の拡大率を制御してもよい。例えば、ユーザがスマートグラスに拡大率の指示を送信し、図９に示す概略図を取得してもよい。表示領域の表示内容と表示領域の観察対象物Ｂに属する表示内容の両方が拡大される。もちろん、表示領域の表示内容のみが拡大される。しかし、表示領域の増大は、十分大きな表示エリアを確保し、ユーザの観察を容易にする。
【００７４】
更に、スマートグラスは、ユーザの視線移動事象を監視し、当該視線移動事象に応じて表示領域が移動され、表示領域に拡大表示された観察対象物の画像が観察対象物の画像の拡大率に応じて更新される。例えば、図１０に示すように、ユーザの視線が右側に移動するとき、それに応じて表示領域が移動し、表示領域の表示内容が更新されてもよい。例えば、図９に示す「スカートの左側」は、図１０に示す「スカートの右側」として更新される。
【００７５】
もちろん、ユーザの視線が観察対象物の範囲外に移動する場合、「観察対象物」が変化しているので、観察対象物の画像の拡大表示が取り消され、新しい観察対象物が前述の実施形態に応じて再び決定され、新しい観察対象物を拡大サイズで表示するか否かが判断される。
【００７６】
なお、図８〜図１０に示される「拡大鏡」の形態の「表示領域」は必須ではなく、スマートガラスは表示内容の拡大表示だけでよく、スマートグラスの表示スクリーンの全体が「表示領域」として機能してもよい。
【００７７】
前述の表示制御方法の実施形態に対応して、本開示は、更に、表示制御装置の実施形態を提供する。
【００７８】
図１１は、例示的な実施形態に係る表示制御装置のブロック図である。図１１を参照すると、本装置は、判断ユニット１１０１と、表示ユニット１１０２とを備えている。
【００７９】
判断ユニット１１０１は、ユーザの視力情報に応じて観察対象物がユーザにとって明瞭に視認可能な対象物であるか否かを判断するように構成されている。
【００８０】
表示ユニット１１０２は、観察対象物がユーザにとって明瞭に視認可能な対象物ではないと判断された場合、観察対象物の画像を拡大表示するように構成されている。
【００８１】
図１２に示すように、図１２は、例示的な実施形態に係る他の表示制御装置のブロック図である。図１１に示される前述の実施形態を基礎として、本装置は、更に、取得ユニット１１０３を備えている。
【００８２】
取得ユニット１１０３は、ユーザの目の検眼を行うことによって、或いは、ユーザによって入力された視力情報を含む情報を受信することによって、或いは、ユーザのログインアカウントに関連付けられた視力情報を読み取ることによって、ユーザの視力情報を取得する。
【００８３】
図１３に示すように、図１３は、例示的な実施形態に係る他の表示制御装置のブロック図である。図１１に示される前述の実施形態を基礎として、本装置は、決定ユニット１１０４と、捕捉ユニット１１０５とを備えている。
【００８４】
決定ユニット１１０４は、現在のユーザの視野範囲を決定するように構成されている。
【００８５】
捕捉ユニット１１０５は、ユーザの視線特性を捕捉し、観察対象物としてユーザの視野範囲内の視線特性に合う対象物を用いるように構成されている。
【００８６】
なお、図１３に示す前述の実施形態の装置の決定ユニット１１０４及び捕捉ユニット１１０５は、本開示に限定されるものではなく、図１２に示す前述の実施形態の装置に含まれてもよい。
【００８７】
図１４に示すように、図１４は、例示的な実施形態に係る他の表示制御装置のブロック図である。図１１に示すように、本実施形態を基礎として、判断ユニット１１０１は、更に、距離取得サブユニット１１０１Ａと、距離判断サブユニット１１０１Ｂとを備えてもよい。
【００８８】
距離取得サブユニット１１０１Ａは、観察対象物とユーザとの間隔距離を取得するように構成されている。
【００８９】
距離判断サブユニット１１０１Ｂは、前記間隔距離が予め決められた視認可能な距離よりも大きい又は同じであるか否かに応じて、観察対象物がユーザにとって明瞭に視認可能な対象物であると判断するように構成されている。前記間隔距離が予め決められた視認可能な距離よりも大きい又は同じである場合、観察対象物がユーザにとって明瞭に視認可能な対象物ではないと判断する。
【００９０】
なお、図１４に示す前述した本実施形態の装置の距離取得サブユニット１１０１Ａ及び距離判断サブユニットの構造は、図１２−１３に示す前述した実施形態の装置に含まれてもよく、本開示に限定されない。
【００９１】
図１５に示すように、図１５は、例示的な実施形態に係る他の表示制御装置のブロック図である。図１１に示す前述の実施形態を基礎として、判断ユニット１１０１は、更に、詳細判断サブユニット１１０１Ｃを備えてもよい。
【００９２】
詳細判断サブユニット１１０１Ｃは、観察対象物が詳細情報を含むか否かに応じて、観察対象物がユーザにとって明瞭に視認可能な対象物であるか否かを判断するように構成されている。観察対象物が詳細情報を含む場合、観察対象物がユーザにとって明瞭に視認可能な対象物ではないと判断する。
【００９３】
なお、図１５に示す前述の実施形態の装置における詳細判断サブユニット１１０１Ｃの構造は、図１２−１４に示す前述の実施形態の装置に含まれてもよく、本開示に限定されない。
【００９４】
図１６に示すように、図１６は、例示的な実施形態に係る他の表示制御装置のブロック図である。図１５に示す前述の実施形態を基礎として、詳細判断サブユニット１１０１Ｃは、変動取得モジュール１６０１と、第１変動判断モジュール１６０２とを備えてもよい。
【００９５】
変動取得モジュール１６０１は、観察対象物の予め決められた画素特性パラメータの変動度合いを取得するように構成されている。
【００９６】
第１変動判断モジュール１６０２は、予め決められた画素特性パラメータの変動度合いが予め決められた変動度合いよりも大きい又は同じであるか否かに応じて、観察対象物が詳細情報を含むか否かを判断するように構成されている。予め決められた画素特性パラメータの変動度合いが予め決められた変動度合いよりも大きい又は同じである場合、観察対象物が詳細情報を含むと判断する。
【００９７】
図１７に示すように、図１７は、例示的な実施形態に係る他の表示制御装置のブロック図である。図１５に示される前述の実施形態を基礎として、詳細判断サブモジュール１１０１Ｃは、対象物取得モジュール１６０３と、第２変動判断モジュール１６０４とを備えている。
【００９８】
対象物取得モジュール１６０３は、観察対象物の周辺対象物を取得するように構成されている。
【００９９】
第２変動判断モジュール１６０４は、観察対象物の予め決められた画素特性パラメータの変動度合いが周辺対象物の予め決められた画素特性パラメータの変動度合いと一致するか否かに応じて、観察対象物が詳細情報を含むか否かを判断するように構成されている。観察対象物の予め決められた画素特性パラメータの変動度合いが周辺対象物の予め決められた画素特性パラメータの変動度合いと一致しない場合、観察対象物が詳細情報を含むと判断する。
【０１００】
図１８に示すように、図１８は、例示的な実施形態に係る他の表示制御装置のブロック図である。図１１に示される前述の実施形態を基礎として、判断ユニット１１０１は、時間取得サブユニット１１０１Ｄと、時間判断サブユニット１１０１Ｅとを備えている。
【０１０１】
時間取得サブユニット１１０１Ｄは、同一対象物を観察するためにユーザの継続時間又は視線合焦時間を取得するように構成されている。
【０１０２】
時間判断サブユニット１１０１Ｅは、継続時間又は視線合焦時間が予め決められた時間よりも大きい又は同じであるか否かに応じて、観察対象物がユーザにとって明瞭に視認可能な対象物である否かを判断するように構成されている。継続時間又は視線合焦時間が予め決められた時間よりも大きい又は同じである場合、対象物がユーザにとって明瞭に視認可能な対象物ではないと判断する。
【０１０３】
なお、図１８に示す前述した実施形態の装置における時間取得サブユニット１１０１Ｄ及び時間判断サブユニット１１０１Ｅの構造は、図１２〜１７に示す前述の実施形態の装置に含まれてもよく、本開示に限定されない。
【０１０４】
図１９に示すように、図１９は、例示的な実施形態に係る他の表示制御装置のブロック図である。図１１に示す前述の実施形態を基礎として、判断ユニット１１０１は、タイプ判断サブユニット１１０１Ｆを備えてもよい。
【０１０５】
タイプ判断サブユニット１１０１Ｆは、観察対象物が予め決められたタイプの情報要素を含むか否かに応じて、観察対象物がユーザにとって明瞭に視認可能な対象物であるか否かを判断するように構成されている。観察対象物が予め決められたタイプの情報要素を含む場合、観察対象物がユーザにとって明瞭に視認可能な対象物ではないと判断する。
【０１０６】
なお、図１９に示す前述の実施形態の装置のタイプ判断サブユニット１１０１Ｆの構造は、図１２〜１８に示す前述の実施形態の装置に含まれてもよく、本開示に限定されない。
【０１０７】
図２０に示すように、図２０は、例示的な実施形態に係る他の表示制御装置のブロック図である。図１１に示す前述の実施形態を基礎として、表示ユニット１１０２は、領域表示サブユニット１１０２Ａと、拡大処理サブユニット１１０２Ｂとを備えてもよい。
【０１０８】
領域表示サブユニット１１０２Ａは、予め決められたサイズの表示領域を表示するように構成されている。
【０１０９】
拡大処理サブユニット１１０２Ｂは、表示領域に観察対象物の画像を拡大表示するように構成されている。
【０１１０】
なお、図２０に示す前述の実施形態の装置の領域表示サブユニット１１０２Ａ及び拡大処理サブユニット１１０２Ｂの構造は、図１２〜１９に示す前述の実施形態の装置に含まれてもよく、本開示に限定されない。
【０１１１】
図２１に示すように、図２１は、例示的な実施形態に係る他の表示制御装置のブロック図である。図２０に示す前述の実施形態を基礎として、本装置は、更に、監視ユニット１１０６と、更新ユニット１１０７とを備えてもよい。
【０１１２】
監視ユニット１１０６は、ユーザの視線移動事象を監視するように構成されている。
【０１１３】
更新ユニット１１０７は、視線移動事象に応じて表示領域を移動させ、観察対象物の画像の拡大率に応じて表示領域に拡大表示される観察対象物の画像を更新するように構成されている。
【０１１４】
図２２に示すように、図２２は、例示的な実施形態に係る他の表示制御装置のブロック図である。図１１に示す前述の実施形態を基礎として、本装置は、取消ユニット１１０８を備えてもよい。
【０１１５】
取消ユニット１１０８は、ユーザの視線が観察対象物の範囲外に移動するとき、ユーザの観察対象物の画像の拡大表示を取り消すように構成されている。
【０１１６】
なお、図２２に示す前述の実施形態の装置の取消ユニット１１０８の構造は、図１２〜２１に示す前述の実施形態の装置に含まれてもよく、本開示に限定されない。
【０１１７】
前記実施形態の装置に関し、個々のモジュールの動作を行う具体的な方式が前記方法に関する実施形態に詳細に述べられているので、ここでは詳細に述べない。 
【０１１８】
本装置の実施形態は、基本的に本方法の実施形態に対応しているので、その相関関係は、本装置の実施形態の範囲内で本方法の実施形態の部分的な説明を参照できる。前述の装置の実施形態は例示のみであることを意図する。別個のコンポーネントとして説明されたユニットは、物理的に分離されても、分離されなくてもよい。ユニットとして表されたコンポーネントは、物理的なユニットであっても、なくてもよい。すなわち、当該コンポーネントは、一ヶ所に配置されても、複数のネットワークユニットに分散されてもよい。一部又は全部のモジュールは、本開示の解決策の目的を実行するために、実際的な要求に応じて選択されてされもよい。当業者は、創造的な労働をすることなく、理解し実行することができる。
【０１１９】
また、本開示は、更に、プロセッサと、プロセッサによって実行可能な指示を記憶するメモリとを備える表示制御装置を提供する。プロセッサは、ユーザの視力情報に応じて観察対象物がユーザにとって明瞭に視認可能な対象物であるか否かを判断し、観察対象物がユーザにとって明瞭に視認可能な対象物ではない場合、観察対象物の画像を拡大表示するように構成されている。
【０１２０】
また、本開示は、更に、メモリと、１以上のプログラムとを含む端末を提供する。１以上のプログラムは、メモリに記憶され、１以上のプロセッサによって実行されるように構成されている。１以上のプログラムは、ユーザの視力情報に応じて観察対象物がユーザにとって明瞭に視認可能な対象物であるか否かを判断し、観察対象物がユーザにとって明瞭に視認可能な対象物ではない場合、観察対象物の画像を拡大表示するという動作を行う指示を含む。
【０１２１】
図２３は、例示的な実施形態に係る表示制御装置２３００のブロック図である。例えば、装置２３００は、携帯電話、コンピュータ、デジタル放送端末、メッセージ装置、ゲーム機、タブレット、医療機器、運動機器、携帯情報端末などであってもよい。
【０１２２】
図２３を参照すると、装置２３００は、処理コンポーネント２３０２、メモリ２３０４、電力コンポーネント２３０６、マルチメディアコンポーネント２３０８、オーディオコンポーネント２３１０、入力／出力（Ｉ／Ｏ）インターフェース２３１２、センサコンポーネント２３１４、及び通信コンポーネント２３１６の１つ以上のコンポーネントを備えてもよい。
【０１２３】
処理コンポーネント２３０２は、一般的には、表示、電話、データ通信、カメラ動作、及びレコーディング動作に関連する動作などの、装置２３００の全体動作を制御する。処理コンポーネント２３０２は、上述した方法のステップの全部又は一部を行うように、指示を実行する１以上のプロセッサ２３２０を備えてもよい。更に、処理コンポーネント２３０２は、処理コンポーネント２３０２と他のコンポーネントとの間のインタラクションを容易にするために、１以上のモジュールを備えてもよい。例えば、処理コンポーネント２３０２は、マルチメディアコンポーネント２３０８と処理コンポーネント２３０２との間のインタラクションを容易にするために、マルチメディアモジュールを備えてもよい。
【０１２４】
メモリ２３０４は、装置２３００の動作をサポートするために様々なタイプのデータを記憶するように構成されている。そのようなデータの例には、装置２３００上で動作するアプリケーション又は方法のための指示、連絡先データ、電話帳データ、メッセージ、写真、映像などが含まれる。メモリ２３０４は、例えば、スタティックランダムアクセスメモリ（ＳＲＡＭ）、電気的消去可能プログラマブル読取り専用メモリ（ＥＥＰＲＯＭ）、消去可能プログラマブル読取り専用メモリ（ＥＰＲＯＭ）、プログラマブル読取り専用メモリ（ＰＲＯＭ）、読取り専用メモリ（ＲＯＭ）、磁気メモリ、フラッシュメモリ、磁気又は光ディスクなどの任意のタイプの揮発性又は不揮発性メモリ装置、又はその組合せを用いて実現されてもよい。
【０１２５】
電力コンポーネント２３０６は、装置２３００の様々なコンポーネントに対して電力を提供する。電力コンポーネント２３０６は、電力管理システム、１以上の電源、及び、装置２３００の電力の生成、管理、分配に関連する他のコンポーネントを備えてもよい。
【０１２６】
マルチメディアコンポーネント２３０８は、装置２３００とユーザとの間の出力インターフェースを提供する画面を備えている。いくつかの実施形態において、前記画面は、液晶ディスプレイ（ＬＣＤ）やタッチパネル（ＴＰ）を備えてもよい。前記画面がタッチパネルを備える場合、前記画面は、ユーザからの入力信号を受信するタッチスクリーンとして実現されてもよい。前記タッチパネルは、前記タッチパネル上でのタッチ、スワイプ、及びジェスチャーを検知するための１以上のタッチセンサを備えてもよい。タッチセンサは、タッチ又はスワイプの動作の境界を検知するだけでなく、タッチ又はスワイプの動作に関連する持続時間及び圧力も検知してもよい。いくつかの実施形態において、マルチメディアコンポーネント２３０８は、フロントカメラ及び／又はリアカメラを備えている。フロントカメラ及びリアカメラは、装置２３００が撮影モードや映像モードなどの動作モードにあるときに、外部のマルチメディアデータを受信してもよい。フロントカメラ及びリアカメラの各々は、固定された光学レンズ系であってもよいし、焦点整合及び光学ズーム性能を有してもよい。
【０１２７】
オーディオコンポーネント２３１０は、オーディオ信号を出力及び／又は入力するように構成されている。例えば、オーディオコンポーネント２３１０は、装置２３００が通話モード、レコーディングモード、音声認識モードなどの動作モードにあるときに外部オーディオ信号を受信するように構成されたマイクロフォン（ＭＩＣ）を備えている。受信されたオーディオ信号は、更に、メモリ２３０４に記憶されても、通信コンポーネント２３１６を介して送信されてもよい。いくつかの実施形態において、オーディオコンポーネント２３１０は、更に、オーディオ信号を出力するスピーカを備えている。
【０１２８】
Ｉ／Ｏインターフェース２３１２は、処理コンポーネント２３０２と、キーボード、クリックホイール、ボタンなどの周辺機器インターフェースモジュールとの間のインターフェースを提供するように構成されている。ボタンは、限定されるものではないが、ホームボタン、ボリュームボタン、スタートボタン、及びロックボタンを備えてもよい。
【０１２９】
センサコンポーネント２３１４は、例えば、装置２３００の様々な態様のステータス評価を提供する１以上のセンサを備えている。例えば、センサコンポーネント２３１４は、装置２３００の開／閉状態、及びコンポーネント（例えば、装置２３００の表示部及びキーパッド）の相対位置、装置２３００又は装置２３００のコンポーネントの位置の変化、装置２３００に接触するユーザの有無、装置２３００の方位又は加速／減速、装置２３００の温度の変化を検知してもよい。センサコンポーネント２３１４は、いかなる物理的接触もなく、近くの物体の存在を検知するように構成された近接センサを備えてもよい。また、センサコンポーネント２３１４は、更に、イメージングアプリケーションで使用するために、ＣＭＯＳやＣＣＤイメージングセンサなどの光センサを備えてもよい。いくつかの実施形態において、センサコンポーネント２３１４は、加速度センサ、ジャイロセンサ、磁気センサ、圧力センサ、又は温度センサも備えてもよい。
【０１３０】
通信コンポーネント２３１６は、装置２３００と他の装置との間の有線又は無線通信を容易にするように構成されている。装置２３００は、ＷｉＦｉ、２Ｇ、３Ｇなどの通信規格、又はそれらの組合せに基づく無線ネットワークにアクセスすることができる。例示的な一実施形態において、通信コンポーネント２３１６は、放送チャンネルを介して外部の放送制御システムからの放送信号又は放送関連情報を受信する。例示的な実施形態において、通信コンポーネント２３１６は、更に、短距離通信を容易にするために近距離無線通信（ＮＦＣ）モジュールを備えている。例えば、ＮＦＣモジュールは、無線自動識別（ＲＦＩＤ）技術、赤外線通信協会（ＩｒＤＡ）技術、超広帯域（ＵＷＢ）技術、ブルートゥース（登録商標）（ＢＴ）技術、又は他の技術に基づいて実現されてもよい。
【０１３１】
例示的な実施形態において、装置２３００は、前述した方法を行うために、特定用途向け集積回路（ＡＳＩＣｓ）、デジタル信号プロセッサ（ＤＳＰｓ）、デジタル信号処理装置（ＤＳＰＤｓ）、プログラマブル論理装置（ＰＬＤｓ）、フィールドプログラマブルゲートアレイ（ＦＰＧＡｓ）、コントローラ、マイクロコントローラ、マイクロプロセッサ、又は他の電子部品などの１以上の電子的要素で実現されてもよい。
【０１３２】
例示的な実施形態においては、メモリ２３０４などの、指示を含む非一時的なコンピュータ可読記憶媒体が提供される。前記指示は、前述した方法を行う装置２３００のプロセッサ２３２０によって実行可能である。例えば、非一時的なコンピュータ可読記憶媒体は、ＲＯＭ、ＲＡＭ、ＣＤ−ＲＯＭ、磁気テープ、フロッピーディスク（登録商標）、光データ記憶装置等であってもよい。
【０１３３】
本発明の他の実施形態は、ここに開示された本発明の明細書及びプラクティスの考慮から当業者には明らかであろう。本願は、本発明の一般的な原理に従う任意の変形、使用、又は適応をカバーし、当該技術分野において公知又は慣行の範囲内にある本開示から逸脱するものを含むことが意図される。明細書及び実施形態は、以下の特許請求の範囲によって示される本発明の真の範囲及び精神と共に、例示的のみとして考慮されることが意図される。
【０１３４】
本発明が上述され且つ添付の図面に図示された正確な構成に限定されるものではなく、様々な修正及び変更がその範囲から逸脱することなくなされてもよいことは認識されるであろう。本発明の範囲は添付の特許請求の範囲によってのみ限定されることが意図される。
【図１】
0006263617.tif 000002
【図２】
0006263617.tif 000003
【図３】
0006263617.tif 000004
【図４】
0006263617.tif 000005
【図５】
0006263617.tif 000006
【図６】
0006263617.tif 000007
【図７】
0006263617.tif 000008
【図８】
0006263617.tif 000009
【図９】
0006263617.tif 000010
【図１０】
0006263617.tif 000011
【図１１】
0006263617.tif 000012
【図１２】
0006263617.tif 000013
【図１３】
0006263617.tif 000014
【図１４】
0006263617.tif 000015
【図１５】
0006263617.tif 000016
【図１６】
0006263617.tif 000017
【図１７】
0006263617.tif 000018
【図１８】
0006263617.tif 000019
【図１９】
0006263617.tif 000020
【図２０】
0006263617.tif 000021
【図２１】
0006263617.tif 000022
【図２２】
0006263617.tif 000023
【図２３】
0006263617.tif 000024